【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
現在ブロックに対する予測モードをインター予測モードと決定するステップと、
前記現在ブロックの動き情報を決定するステップと、
前記現在ブロックの前記動き情報に基づいて、前記現在ブロックに対する予測サンプルを誘導するステップと、
前記現在ブロックの前記動き情報を誘導するステップは、
参照ブロック内の前記現在ブロックの中央位置に対応する中央サブ予測ブロックが動き情報を有するか否かを決定するステップと、
前記参照ブロック内の前記中央サブ予測ブロックが動き情報を有するとき、前記現在ブロック内のサブ予測ブロックの動き情報を誘導するステップと、
前記参照ブロック内の前記中央サブ予測ブロックが動き情報を有しないとき、前記現在ブロックの動き情報を誘導するステップと、
を有する、映像符号化方法。
【請求項２】
前記現在ブロック内のサブ予測ブロックの前記動き情報を誘導するステップは、
前記参照ブロック内のサブ予測ブロックが動き情報を有するか否かを決定するステップであって、前記参照ブロック内の前記サブ予測ブロックは、前記現在ブロック内の現在サブ予測ブロックに対応し、
前記参照ブロック内の前記サブ予測ブロックが動き情報を有するとき、前記参照ブロック内の前記サブ予測ブロックから、前記現在ブロック内の前記現在サブ予測ブロックの動き情報を誘導するステップと、
前記参照ブロック内の前記サブ予測ブロックが動き情報を有しないとき、前記参照ブロック内の前記中央サブ予測ブロックから、前記現在ブロック内の前記現在サブ予測ブロックの動き情報を誘導するステップと、
を有することを特徴とする、請求項１に記載の映像符号化方法。
【請求項３】
前記参照ブロックは、前記現在ブロックを含む現在ピクチャと異なる時間的順序を有する参照ピクチャ内に位置することを特徴とする、請求項１に記載の映像符号化方法。
【請求項４】
前記参照ブロックは、前記現在ブロックを含む前記現在ピクチャと同じアクセスユニットに属する参照ピクチャ内に位置することを特徴とする、請求項１に記載の映像符号化方法。
【請求項５】
前記現在ブロックの位置と、前記現在ブロックの変移ベクトル（Ｄｉｓｐａｒｉｔｙ  Ｖｅｃｔｏｒ）とに基づいて、前記参照ブロックが規定されることを特徴とする、請求項４に記載の映像符号化方法。
【請求項６】
現在ブロックに対する予測モードをインター予測モードと決定する記憶部と、
前記現在ブロックの動き情報を誘導し、前記現在ブロックの前記動き情報に基づいて前記現在ブロックに対する予測サンプルを誘導し、
前記参照ブロック内の前記中央サブ予測ブロックが動き情報を有するとき、前記現在ブロック内のサブ予測ブロックの動き情報を誘導し、
前記参照ブロック内の前記中央サブ予測ブロックが動き情報を有しないとき、前記現在ブロックの動き情報を誘導する誘導部と、
を備える、映像符号化装置。
【請求項７】
前記誘導モジュールは、前記参照ブロック内のサブ予測ブロックが動き情報を有するか否かを決定し、前記参照ブロック内の前記サブ予測ブロックは、前記現在ブロック内の現在サブ予測ブロックに対応し、
前記参照ブロック内の前記サブ予測ブロックが動き情報を有するとき、前記参照ブロック内の前記サブ予測ブロックから、前記現在ブロック内の前記現在サブ予測ブロックの動き情報を誘導し、
前記参照ブロック内の前記サブ予測ブロックが動き情報を有しないとき、前記参照ブロック内の前記中央サブ予測ブロックから、前記現在ブロック内の前記現在サブ予測ブロックの動き情報を誘導することを特徴とする、請求項６に記載の映像符号化装置。
【請求項８】
前記参照ブロックは、前記現在ブロックを含む現在ピクチャと異なる時間的順序を有する参照ピクチャ内に位置することを特徴とする、請求項６に記載の映像符号化装置。
【請求項９】
前記参照ブロックは、前記現在ブロックを含む前記現在ピクチャと同じアクセスユニットに属する参照ピクチャ内に位置することを特徴とする、請求項６に記載の映像符号化装置。
【請求項１０】
前記現在ブロックの位置と、前記現在ブロックの変移ベクトル（Ｄｉｓｐａｒｉｔｙ  Ｖｅｃｔｏｒ）とに基づいて、前記参照ブロックが規定されることを特徴とする、請求項９に記載の映像符号化装置。
【請求項１１】
現在ブロックに対する予測モードをインター予測モードと決定するステップと、
前記現在ブロックの動き情報を誘導するステップと、
前記現在ブロックの前記動き情報に基づいて、前記現在ブロックに対する予測サンプルを誘導するステップと、
前記現在ブロックの前記動き情報を誘導するステップは、
参照ブロック内の前記現在ブロックの中央位置に対応する中央サブ予測ブロックが動き情報を有するか否かを決定するステップと、
前記参照ブロック内の前記中央サブ予測ブロックが動き情報を有するとき、前記現在ブロック内のサブ予測ブロックの動き情報を誘導するステップと、
前記参照ブロック内の前記中央サブ予測ブロックが動き情報を有しないとき、前記現在ブロックの動き情報を誘導するステップと、
を有する、映像復号化方法。
【請求項１２】
前記現在ブロック内のサブ予測ブロックの前記動き情報を誘導するステップは、
前記参照ブロック内のサブ予測ブロックが動き情報を有するか否かを決定するステップであって、前記参照ブロック内の前記サブ予測ブロックは、前記現在ブロック内の現在サブ予測ブロックに対応し、
前記参照ブロック内の前記サブ予測ブロックが動き情報を有するとき、前記参照ブロック内の前記サブ予測ブロックから、前記現在ブロック内の前記現在サブ予測ブロックの動き情報を誘導するステップと、
前記参照ブロック内の前記サブ予測ブロックが動き情報を有しないとき、前記参照ブロック内の前記中央サブ予測ブロックから、前記現在ブロック内の前記現在サブ予測ブロックの動き情報を誘導するステップと、
ことを特徴とする、請求項１１に記載の映像復号化方法。
【請求項１３】
前記参照ブロックは、前記現在ブロックを含む現在ピクチャと異なる時間的順序を有する参照ピクチャ内に位置することを特徴とする、請求項１１に記載の映像復号化方法。
【請求項１４】
前記参照ブロックは、前記現在ブロックを含む前記現在ピクチャと同じアクセスユニットに属する参照ピクチャ内に位置することを特徴とする、請求項１１に記載の映像復号化方法。
【請求項１５】
前記現在ブロックの位置と、前記現在ブロックの変移ベクトル（Ｄｉｓｐａｒｉｔｙ  Ｖｅｃｔｏｒ）とに基づいて、前記参照ブロックが規定されることを特徴とする、請求項１４に記載の映像復号化方法。
【請求項１６】
現在ブロックに対する予測モードをインター予測モードと決定する記憶部と、
前記現在ブロックの動き情報を誘導し、前記現在ブロックの前記動き情報に基づいて前記現在ブロックに対する予測サンプルを誘導する誘導部と、
を備え、
前記誘導モジュールは、参照ブロック内の前記現在ブロックの中央位置に対応する中央サブ予測ブロックが、動き情報を有するか否かを決定し、
前記参照ブロック内の前記中央サブ予測ブロックが動き情報を有するとき、前記現在ブロック内のサブ予測ブロックの動き情報を誘導し、
前記参照ブロック内の前記中央サブ予測ブロックが動き情報を有しないとき、前記前記現在ブロックの動き情報を誘導することを特徴とする映像復号化装置。
【請求項１７】
前記誘導モジュールは、前記参照ブロック内のサブ予測ブロックが動き情報を有するか否かを決定し、前記参照ブロック内の前記サブ予測ブロックは、前記現在ブロック内の現在サブ予測ブロックに対応し、
前記参照ブロック内の前記サブ予測ブロックが動き情報を有するとき、前記参照ブロック内の前記サブ予測ブロックから、前記現在ブロック内の前記現在サブ予測ブロックの動き情報を誘導し、
前記参照ブロック内の前記サブ予測ブロックが動き情報を有しないとき、前記参照ブロック内の前記中央サブ予測ブロックから、前記現在ブロック内の前記現在サブ予測ブロックの動き情報を誘導することを特徴とする、請求項１６に記載の映像復号化装置。
【請求項１８】
前記参照ブロックは、前記現在ブロックを含む現在ピクチャと異なる時間的順序を有する参照ピクチャ内に位置することを特徴とする、請求項１６に記載の映像復号化装置。
【請求項１９】
前記参照ブロックは、前記現在ブロックを含む前記現在ピクチャと同じアクセスユニットに属する参照ピクチャ内に位置することを特徴とする、請求項１６に記載の映像復号化装置。
【請求項２０】
前記現在ブロックの位置と、前記現在ブロックの変移ベクトル（Ｄｉｓｐａｒｉｔｙ  Ｖｅｃｔｏｒ）とに基づいて、前記参照ブロックが規定されることを特徴とする、請求項１９に記載の映像復号化装置。